(57)【要約】【課題】バンドパスフィルタの選別作業や組み込み時の調整を不要とし、バンドパスフィルタの群遅延歪みを補正することができる、低コストの狭帯域デジタル無線通信装置を提供する。【解決手段】狭帯域デジタル無線通信装置は、入力変調信号の帯域を制限するバンドパスフィルタ３２と、バンドパスフィルタ３２にて帯域が制限された変調信号の波形を整形するイコライザ３３と、イコライザ３３により波形整形された信号を検波して復調する復調部３４と、イコライザ３３の伝達関数の特性を決めるパラメータの値が格納されるメモリ３１と、メモリ３１に格納されたパラメータの値をイコライザ３３に設定する制御部３０を有する。【選択図】図３
2010268364.tif 000002
【特許請求の範囲】
【請求項１】
入力変調信号の帯域を制限するバンドパスフィルタと、
前記バンドパスフィルタにて帯域が制限された変調信号の波形を整形するイコライザと、
前記イコライザにより波形整形された信号を検波して復調する復調部と、
前記イコライザの伝達関数の特性を決めるパラメータの値が格納されるメモリと、
前記メモリに格納されたパラメータの値を前記イコライザに設定する制御部を有する狭帯域デジタル無線通信装置。
【請求項２】
前記復調部にて検波された信号のビットエラーレートを測定し、該測定値が閾値を超えている場合は、前記制御部にパラメータの変更を指示し、該測定値が閾値以下の場合には、前記制御部にパラメータの保持を指示する外部装置が接続される、データ通信を行うためのインタフェースをさらに有し、
前記パラメータについての複数の候補値が前記メモリに予め格納されており、
前記制御部は、
前記メモリに格納された前記複数の候補値の１つを前記イコライザに設定して、前記復調部にて検波された信号を、前記インタフェースを介して前記外部装置へ送信し、その後、前記外部装置からの指示を、前記インタフェースを介して受信し、
前記外部装置から受信した指示がパラメータの変更指示である場合は、前記イコライザに設定されているパラメータの値を前記メモリに格納されている別の候補値に変更して、前記復調部にて検波された信号を、前記インタフェースを介して前記外部装置へ送信し、
前記外部装置から受信した指示がパラメータの保持指示である場合には、前記イコライザに設定されているパラメータの値を前記イコライザに設定すべき確定パラメータ値として前記メモリに保持させる、請求項１に記載の狭帯域デジタル無線通信装置。
【請求項３】
入力変調信号の帯域を制限するバンドパスフィルタの群遅延歪みを等化するためのパラメータを設定する方法であって、
前記バンドパスフィルタにて帯域が制限された変調信号の波形を整形するイコライザの伝達関数の特性を決めるパラメータの値として、予め取得した複数の候補値のうちの１つの候補値を前記イコライザに設定し、
前記イコライザにより波形整形された信号を検波し、該検波した信号のビットエラーレートを測定し、
前記ビットエラーレートの測定値が閾値以下の場合は、前記イコライザに設定されている候補値を前記イコライザに設定すべきパラメータとして確定し、
前記ビットエラーレートの測定値が前記閾値を超えている場合には、前記複数の候補値のうちの別の候補値を前記イコライザに設定し、前記ビットエラーレートの測定を再度行ってその測定値を前記閾値と比較する、パラメータ設定方法。
【発明の詳細な説明】
【技術分野】
【０００１】
本発明は、クリスタルフィルタに代表されるバンドパスフィルタを備える狭帯域デジタル無線通信装置に関する。
【背景技術】
【０００２】
近年、周波数利用効率やサービスなどの向上により、デジタル無線通信が普及している。また、広帯域の高速伝送が普及している一方で、狭帯域の伝送を用いるアプリケーションも多く存在する。
【０００３】
狭帯域でデジタル無線通信を行う場合、クリスタルフィルタに代表される狭帯域のバンドパスフィルタが用いられる。このような狭帯域のバンドパスフィルタを用いるデジタル無線通信において、受信性能の確保は品質面からも必要である。
【０００４】
特許文献１には、適応型チャネルイコライザを備えたレシーバが記載されている。このレシーバでは、受信信号はＩＦ（Intermediate Frequency）通過帯域にダウンコンバートされた後、Ａ／Ｄコンバータによりデジタル信号に変換され、そのデジタル信号が復調器によって復調される。この復調されたデジタル信号は、適応型チャネルイコライザに供給される。
【０００５】
適応型チャネルイコライザは、チャネルの歪みを補償する適応応答を伴うデジタルフィルタである。パケットエラー率が測定され、その測定値と閾値との比較結果に応じて、デジタルフィルタの係数ステップサイズが更新される。これにより、受信性能を確保する。
【先行技術文献】
【特許文献】
【０００６】
【特許文献１】特開２００１−３２０３０４号公報
【発明の概要】
【発明が解決しようとする課題】
【０００７】
無線通信の受信機能の規格の１つに、隣接チャンネル選択度がある。クリスタルフィルタ等のバンドパスフィルタを用いることで、隣接（上側、下側）チャンネルの影響を軽減させることができる。通常、隣接チャンネル選択度の規定性能を確保するために、帯域が狭帯域とされ、かつ、減衰特性が急峻になるように、クリスタルフィルタを設計する。
【０００８】
クリスタルフィルタの群遅延特性は、使用帯域において平坦な特性とされることが望ましいが、クリスタルフィルタを狭帯域で使用する場合、その使用帯域の特性は平坦なものにならない。このため、クリスタルフィルタの群遅延特性の歪みの影響により変調波に歪みが生じる。
【０００９】
群遅延歪みの影響を受けた変調波をそのままＤＳＰ（Digital Signal Processor）で復調すると、群遅延歪みによりアイパターンが劣化して、符号判定の過程におけるデシジョンに誤りを生じ、その結果、受信ＢＥＲ（ビットエラーレート）特性が劣化する。
【００１０】
このように、隣接チャンネル選択度の規定性能を得るために、狭帯域化されたクリスタルフィルタを使用する場合は、クリスタルフィルタの群遅延歪みによって、受信ＢＥＲ（ビットエラーレート）特性が劣化するという問題がある。
【００１１】
また、クリスタルフィルタの群遅延歪みの特性には製造過程で生じるばらつきがあるため、無線通信装置ごとに、クリスタルフィルタの特性に応じた群遅延歪み補正を行う必要がある。しかし、無線通信装置にはそのような補正を行う機能がないため、製造されたクリスタルフィルタの中から、群遅延歪みの特性が所定の範囲内であるクリスタルフィルタを選別して使用していた。このような選別作業は、手間がかかり、多くの時間を費やすといった問題がある。
【００１２】
さらに、クリスタルフィルタとその入出力側に設けられる回路とのマッチングをとる必要があるが、クリスタルフィルタの群遅延歪みの特性は、マッチング回路によってもばらつきを生じる。このため、クリスタルフィルタを装置に組み込む際は、精度の高い微調整を行って所定の性能を確保する必要がある。この作業も、手間がかかり、多くの時間を費やすといった問題がある。
【００１３】
特許文献１に記載のものでは、装置毎に、適応型チャネルイコライザによりチャネルの歪みを補償することができるが、上記のクリスタルフィルタの群遅延歪みの特性を補正するものではない。このため、クリスタルフィルタの群遅延歪みの補正がなされていない状態において、最適なエラー率を実現することになる。したがって、特許文献１に記載のものでは、狭帯域化されたクリスタルフィルタの群遅延歪みによる受信ＢＥＲ特性の劣化を解決することは困難である。
【００１４】
加えて、パケットエラー率を測定するための手段が必要であるので、その分、装置コストが増大する。
【００１５】
本発明の目的は、上述の各問題を解決し、バンドパスフィルタの選別作業や組み込み時の調整を不要とし、バンドパスフィルタの群遅延歪みを補正することができる、低コストの狭帯域デジタル無線通信装置およびそのパラメータ設定方法を提供することにある。
【課題を解決するための手段】
【００１６】
上記目的を達成するため、本発明の狭帯域デジタル無線通信装置は、
入力変調信号の帯域を制限するバンドパスフィルタと、
前記バンドパスフィルタにて帯域が制限された変調信号の波形を整形するイコライザと、
前記イコライザにより波形整形された信号を検波して復調する復調部と、
前記イコライザの伝達関数の特性を決めるパラメータの値が格納されるメモリと、
前記メモリに格納されたパラメータの値を前記イコライザに設定する制御部を有する。
【００１７】
また、本発明のパラメータ設定方法は、入力変調信号の帯域を制限するバンドパスフィルタの群遅延歪みを等化するためのパラメータを設定する方法であって、
前記バンドパスフィルタにて帯域が制限された変調信号の波形を整形するイコライザの伝達関数の特性を決めるパラメータの値として、予め取得した複数の候補値のうちの１つの候補値を前記イコライザに設定し、
前記イコライザにより波形整形された信号を検波して、該検波した信号のビットエラーレートを測定し、
前記ビットエラーレートの測定値が閾値以下の場合は、前記イコライザに設定されている候補値を前記イコライザに設定すべきパラメータとして確定し、
前記ビットエラーレートの測定値が前記閾値を超えている場合には、前記複数の候補値のうちの別の候補値を前記イコライザに設定し、前記ビットエラーレートの測定を再度行ってその測定値を前記閾値と比較することを含む。
【発明の効果】
【００１８】
本発明によれば、隣接チャンネル選択度の規定性能を確保するために、バンドパスフィルタとして狭帯域のクリスタルフィルタを用いた場合において、受信ＢＥＲ（ビットエラーレート）特性の劣化を抑制することができる。
【００１９】
また、装置毎に最適なパラメータを設定することができるので、クリスタルフィルタの選別作業やマッチングの調整作業は不要である。よって、部材費の低減、調整工数、検査工数の短縮が可能となり、量産性の向上を図ることができる。
【図面の簡単な説明】
【００２０】
【図１】本発明の一実施形態である狭帯域デジタル無線通信装置の構成を示すブロック図である。
【図２】図１に示す狭帯域デジタル無線通信装置のパラメータ設定処理の一手順を示すフローチャートである。
【図３】本発明の他の実施形態である狭帯域デジタル無線通信装置の構成を示すブロック図である。
【発明を実施するための形態】
【００２１】
次に、本発明の実施形態について図面を参照して説明する。
【００２２】
図１は、本発明の一実施形態である狭帯域デジタル無線通信装置の構成を示すブロック図である。
【００２３】
図１を参照すると、狭帯域デジタル無線通信装置１００は、ローノイズアンプ１、周波数変換器２、５、バンドパスフィルタ３、増幅器４、６、アナログデジタル（ＡＤ）コンバータ７、ＤＳＰ（Digital Signal Processor）８、制御部９、メモリ１０およびインタフェース１１を有する。
【００２４】
ＲＦ（Radio Frequency）信号（変調波）が、ローノイズアンプ１を介して周波数変換器２に供給される。ローノイズアンプ１は、入力されたＲＦ信号のレベルを適度なレベルに増幅する。
【００２５】
ローカル信号１２が周波数変換器２に供給され、ローカル信号１３が周波数変換器５に供給されている。ローカル信号１２、１３は、不図示のローカル信号発生手段にて生成される。
【００２６】
周波数変換器２は、ローノイズアンプ１からのＲＦ信号をローカル信号１２とミキシングして、周波数変換された第１のＩＦ（Intermediate Frequency）信号を出力する。周波数変換器２から出力された第１のＩＦ信号は、バンドパスフィルタ３を介して増幅器４に供給される。
【００２７】
バンドパスフィルタ３は、クリスタルフィルタに代表される狭帯域のバンドパスフィルタであって、周波数変換器２からの第１のＩＦ信号の帯域を制限する。増幅器４は、バンドパスフィルタ３を通過した第１のＩＦ信号のレベルを適度なレベルに増幅する。
【００２８】
増幅器４から出力された第１のＩＦ信号は、周波数変換器５に供給される。周波数変換器５は、増幅器４からの第１のＩＦ信号をローカル信号１３とミキシングして、周波数変換された第２のＩＦ信号を出力する。
【００２９】
周波数変換器５から出力された第２のＩＦ信号は、増幅器６を介してＡＤコンバータ７に供給される。増幅器６は、周波数変換器５からの第２のＩＦ信号のレベルを適度なレベルに増幅する。ＡＤコンバータ７は、増幅器６にて増幅された第２のＩＦ信号（アナログ）をデジタル信号に変換する。
【００３０】
ＡＤコンバータ７にてＡＤ変換された第２のＩＦ信号は、ＤＳＰ８に供給される。ＤＳＰ８は、群遅延イコライザ８１およびデジタル信号処理部８２を有する。
【００３１】
群遅延イコライザ８１は、バンドパスフィルタ３の群遅延特性を逆補正し、変調帯域において平坦にできる伝達関数を有する。群遅延イコライザ８１の伝達関数の特性を決めるパラメータを変更することで、群遅延イコライザ８１の波形整形の特性を変化させることができる。群遅延イコライザ８１は、ＡＤコンバータ７からの第２のＩＦ信号（デジタル）に対して、制御部９によって設定されたパラメータに基づいて、バンドパスフィルタ３の群遅延歪みを補正するための波形整形処理を行う。
【００３２】
デジタル信号処理部８２は、群遅延イコライザ８１にて波形整形された第２のＩＦ信号に対して、デジタル処理による検波および復調の処理を行う。
【００３３】
メモリ１０は、不揮発性の半導体メモリであって、例えば、ＦＲＯＭ（Flash Read Only Memory）より構成される。バンドパスフィルタ３の群遅延歪みを補正するためのデータとして、群遅延イコライザ８１の伝達関数の特性を決めるパラメータがメモリ１０に格納される。
【００３４】
制御部９は、メモリ１０に格納されたパラメータを群遅延イコライザ８１に設定する。制御部９は、デジタル信号処理部８２で検波された信号を、インタフェース１１を介して外部ＰＣ（パーソナルコンピュータ）２００に送信し、群遅延イコライザ８１の伝達関数のパラメータの変更指示および保持指示を外部ＰＣ２００から受け付ける。
【００３５】
外部ＰＣ２００は、デジタル信号処理部８２で検波された信号のＢＥＲ測定を行って、その測定値が閾値を超えたか否かを判定する機能、測定値が閾値を超えた場合に、パラメータを変更する旨の指示信号を制御部９に供給する機能、および測定値が閾値以下の場合に、パラメータを保持する旨の指示信号を制御部９に供給する機能を有する。ＢＥＲは、一定時間内に受信したビット列中に含まれる誤りビットの比率を示す。
【００３６】
次に、バンドパスフィルタ３の群遅延歪みの補正に係る群遅延イコライザ８１のパラメータ設定処理を具体的に説明する。このパラメータ設定処理は、狭帯域デジタル無線通信装置１００の出荷前に行われる処理であって、外部ＰＣ２００を狭帯域デジタル無線通信装置１００に接続した状態で実行される。
【００３７】
図２に、パラメータ設定処理の具体的な手順を示す。以下、図１および図２を参照して動作を説明する。
【００３８】
まず、制御部９が、予め取得したパラメータの初期値、最小値および最大値を外部ＰＣ２００から受信し、それらをメモリ１０に格納する（ステップＳ１０）。
【００３９】
ここで、パラメータの初期値、最小値および最大値について簡単に説明する。バンドパスフィルタ３として使用されるクリスタルフィルタの群遅延特性は、そのクリスタルフィルタの水晶の素子数により決まる。したがって、クリスタルフィルタの群遅延特性は、その設計時にほぼ決まる。この群遅延特性を逆補正し、変調帯域において特性が平坦になるような伝達関数およびパラメータを、あらかじめシミュレーション等により決定する。こうして決定したパラメータを初期値とする。
【００４０】
また、クリスタルフィルタの個々のバラツキにも対応するため、クリスタルフィルタの設計時に、予想される群遅延特性のバラツキの最大値と最小値を補正することが出来るように、パラメータの最大値と最小値をシミュレーションにより決定する。
【００４１】
パラメータの初期値、最小値および最大値をメモリ１０に格納した後、制御部９は、メモリ１０に格納したパラメータの初期値を群遅延イコライザ８１に設定する（ステップＳ１１）。群遅延イコライザ８１の伝達関数の特性は、その設定されたパラメータ（初期値）により決まる。ＡＤコンバータ７からの第２のＩＦ信号は、パラメータ（初期値）が設定された群遅延イコライザ８１にて波形整形がなされ、その後、デジタル信号処理部８２にて検波および復調の処理が行われる。
【００４２】
次に、制御部９は、デジタル信号処理部８２で検波された信号を、インタフェース１１を介して外部ＰＣ２００に送信する（ステップＳ１２）。外部ＰＣ２００では、制御部９からインタフェース１１を介して受信した検波信号に基づいてＢＥＲ測定を行い、その測定値が閾値を超えているか否かを判定する。ＢＥＲ測定値が閾値を超えている場合は、外部ＰＣ２００は、パラメータを変更する旨の指示信号を制御部９へ送信する。ＢＥＲ測定値が閾値以下である場合は、外部ＰＣ２００は、パラメータを保持する旨の指示信号を制御部９へ送信する。
【００４３】
検波信号の外部ＰＣ２００への送信後、制御部９は、外部ＰＣ２００からパラメータの変更指示および保持指示のいずれかを受信する（ステップＳ１３）。外部ＰＣ２００からの指示がパラメータの保持指示である場合は、制御部９は、群遅延イコライザ８１に設定されているパラメータの値を確定パラメータ値としてメモリ１０に格納する（ステップＳ１４）。
【００４４】
外部ＰＣ２００からの指示がパラメータの変更指示である場合は、制御部９は、メモリ１０に格納されているパラメータの最大値および最小値の範囲内でパラメータの値を変更し、変更後のパラメータの値を群遅延イコライザ８１に設定する（ステップＳ１５）。この後、制御部９は、ステップＳ１２の処理を再度実行する。
【００４５】
上述のパラメータ設定処理によれば、ＢＥＲ測定値が閾値以下となるパラメータの値が確定パラメータ値としてメモリ１０に保持される。
【００４６】
出荷後、狭帯域デジタル無線通信装置１００が起動されると、制御部９が、メモリ１０に格納された確定パラメータ値を群遅延イコライザ８１に設定する。これにより、群遅延イコライザ８１の伝達関数は、バンドパスフィルタ３の群遅延歪みを補正できるような特性を有することになる。
【００４７】
したがって、隣接チャンネル選択度の規定性能を確保するために、バンドパスフィルタ３として、帯域が狭帯域とされ、かつ、減衰特性が急峻になるように設計されたクリスタルフィルタを用いた場合において、受信ＢＥＲ（ビットエラーレート）特性の劣化を抑制することができる。
【００４８】
また、群遅延イコライザ８１の伝達関数のパラメータの設定処理によれば、クリスタルフィルタの群遅延歪みの特性に製造ばらつきがあっても、クリスタルフィルタの群遅延歪みを確実に補正することができる。したがって、クリスタルフィルタの選別作業は不要である。
【００４９】
加えて、群遅延イコライザ８１の伝達関数のパラメータの設定処理によれば、クリスタルフィルタの群遅延歪みの特性がマッチング回路によってばらつきを生じても、クリスタルフィルタの群遅延歪みを確実に補正することができる。したがって、マッチングの調整作業は不要である。
【００５０】
クリスタルフィルタの選別作業やマッチングの調整作業を不要としたことで、部材費の低減、調整工数、検査工数の短縮が可能となり、量産性の向上を図ることができる。
【００５１】
なお、本実施形態では、パラメータの初期値、最大値および最小値がメモリ１０に格納されるようになっているが、これらの値に加えて、最大値および最小値の間を補間する複数のパラメータ値をメモリ１０に格納してもよい。この場合は、図２のステップＳ１５の処理で、最大値から最小値までのパラメータ値を候補値として、それら候補値からパラメータ値を選択する。
【００５２】
次に、具体的な例として、伝達関数として１次オールパスフィルタを用いた場合を説明する。この場合、伝達関数は、
【００５３】
【数１】
2010268364.tif 000003
【００５４】
で与えられ、群遅延特性は、
【００５５】
【数２】
2010268364.tif 000004
【００５６】
で与えられる。
【００５７】
上記の伝達関数の特性を決定するパラメータは“ｂ”である。受信ＢＥＲ特性を改善させるためには、クリスタルフィルタの群遅延特性と上記補正用の１次オールパスフィルタの群遅延特性を合わせ、その群遅延特性が使用帯域において平坦になるように設定する。具体的には、上記の伝達関数におけるパラメータ“ｂ”の値を変更することで、群遅延特性を変化させることができ、クリスタルフィルタの群遅延特性と合わせて最適な特性となるように設定することが出来る。
【００５８】
図２のパラメータ設定処理では、パラメータ“ｂ”について、あらかじめシミュレーションにより取得した複数の候補値（初期値、最大値、最小値等）をメモリ１０に格納しており、それら候補値の中から、実際に使用するクリスタルフィルタの群遅延特性の補正に応じた候補値を確定パラメータ値とする。
【００５９】
上記の１次オールパスフィルタの例は一例であり、使用するクリスタルフィルタによっては、２次或いはそれより高次の伝達関数が用いられる。この場合、必要な伝達関数やパラメータが適宜に選択される。
【００６０】
（他の実施形態）
図３は、本発明の他の実施形態である狭帯域デジタル無線通信装置の構成を示すブロック図である。
【００６１】
図３を参照すると、狭帯域デジタル無線通信装置の主要部は、制御部３０、メモリ３１、バンドパスフィルタ３２、イコライザ３３および復調部３４からなる。
【００６２】
バンドパスフィルタ３２は、入力変調信号の帯域を制限する。イコライザ３３は、バンドパスフィルタ３２にて帯域が制限された変調信号の波形整形を行う。復調部３４は、イコライザにより波形整形された信号を復調する。
【００６３】
メモリ３１には、イコライザ３３の伝達関数の特性を決めるパラメータの値が格納される。制御部３０は、メモリ３１に格納されたパラメータの値をイコライザ３３に設定する。
【００６４】
本他の実施形態の狭帯域デジタル無線通信装置では、イコライザ３３の伝達関数の特性が、バンドパスフィルタ３２の群遅延特性を逆補正し、変調帯域において平坦にできるような特性となるように、メモリ３１に格納されたパラメータの値を設定する。これにより、隣接チャンネル選択度の規定性能を確保するために、バンドパスフィルタ３２として、帯域が狭帯域とされ、かつ、減衰特性が急峻になるように設計されたクリスタルフィルタを用いた場合に、受信ＢＥＲ（ビットエラーレート）特性の劣化を抑制することができる。
【００６５】
本他の実施形態の狭帯域デジタル無線通信装置においても、図１に示した構成のようなパラメータの変更を適応的に行うことができる。
【００６６】
具体的には、図３に示した構成において、復調部３４にて検波された信号のビットエラーレートを測定し、該測定値が閾値を超えている場合はパラメータの変更を指示し、該測定値が閾値以下の場合には、パラメータの保持を指示する外部装置が接続される、データ通信を行うためのインタフェースを設ける。さらに、パラメータについての複数の候補値がメモリ３１に予め格納される。
【００６７】
制御部３０は、メモリ３１に格納された複数の候補値の１つをイコライザ３３に設定して、復調部３４にて検波された信号を、インタフェースを介して外部装置へ送信し、その後、外部装置から指示を受信する。受信した指示がパラメータの変更指示である場合は、制御部３０は、イコライザ３３に設定されているパラメータの候補値をメモリ３１に格納されている別の候補値に変更する。受信した指示がパラメータの保持指示である場合は、制御部３０は、イコライザ３３に設定されているパラメータの候補値をイコライザ３３に設定すべき確定パラメータ値としてメモリ３１に保持する。
【００６８】
出荷後、狭帯域デジタル無線通信装置が起動されると、制御部３０は、メモリ３１に格納された確定パラメータ値をイコライザ３３に設定する。
【００６９】
上述した本他の実施形態の狭帯域デジタル無線通信装置によれば、無線通信装置毎に、メモリ３１に格納される確定パラメータ値を設定することができる。したがって、前述の実施形態と同様、隣接チャンネル選択度の規定性能を確保するために、バンドパスフィルタ３として、帯域が狭帯域とされ、かつ、減衰特性が急峻になるように設計されたクリスタルフィルタを用いた場合において、受信ＢＥＲ（ビットエラーレート）特性の劣化を抑制することができる。
【００７０】
また、クリスタルフィルタの選別作業やマッチングの調整作業も不要であるので、部材費の低減、調整工数、検査工数の短縮が可能となり、量産性の向上を図ることができる。
【００７１】
以上、実施形態を参照して本発明を説明したが、本発明は上述した実施形態に限定されるものではない。本発明の構成および動作については、本発明の趣旨を逸脱しない範囲において、当業者が理解し得る様々な変更を行うことができる。
【００７２】
例えば、図１に示した狭帯域デジタル無線通信装置１００において、外部ＰＣ２００に対応する処理部を狭帯域デジタル無線通信装置１００内に設けてもよい。この場合は、出荷後においても、パラメータの設定処理を適応的に行うことができる。
【符号の説明】
【００７３】
３０  制御部
３１  メモリ
３２  バンドパスフィルタ
３３  イコライザ
３４  復調部
【図１】
2010268364.tif 000005
【図２】
2010268364.tif 000006
【図３】
2010268364.tif 000007